(57)【特許請求の範囲】
【請求項１】
収容部を有する胴体部と、
前記胴体部の一面に挿入固定される複数のピンと、
前記収容部に設けられる脱去部と、を備え、
前記脱去部は、前記胴体部の一面において前記複数のピンの中央部でその軸方向に突出及び挿入可能なギアスティックと、前記ギアスティックを中心として両側に一つずつ対称に設けられると共に前記ギアスティックに噛合されて回転する取手部とを有することを特徴とする電気プラグ。
【請求項２】
前記収容部は、前記胴体部を貫通する貫通孔を有し、
前記貫通孔は、前記胴体部の一側における第一貫通孔及び前記胴体部の他側における第二貫通孔を有し、
前記第一貫通孔には、前記取手部の一部が露出し、前記第二貫通孔には、前記ギアスティックの一部が挿入又は露出することを特徴とする請求項１に記載の電気プラグ。
【請求項３】
前記取手部は、
前記ギアスティックに噛合されて回転する歯部と、
前記歯部の上に設けられる回転軸と、
前記歯部の一側から延設された押え部と、を有することを特徴とする請求項１に記載の電気プラグ。
【請求項４】
前記ギアスティックは、
ギア軸と、
前記ギア軸の外周面の一部に形成され、前記歯部に噛合されるギア部と、
前記ギア軸の外周面に形成される支持部と、を有し、
前記ギア部のギア突起は、前記ギア軸の長手方向に垂直で形成され、前記ギア軸の長手方向に沿って等間隔で複数個が設けられることを特徴とする請求項１又は３に記載の電気プラグ。
【請求項５】
前記ギア軸と前記歯部の回転軸とは、互いに直交して設けられることを特徴とする請求項４に記載の電気プラグ。
【請求項６】
前記押え部は、一端部にコンセントとの結合状態の識別のための文字部を更に有することを特徴とする請求項３に記載の電気プラグ。
【発明の詳細な説明】
【技術分野】
【０００１】
本発明は電気プラグに係り、更に詳しくはコンセントから容易に抜くことができる電気プラグに関する。
【背景技術】
【０００２】
電気プラグは、電気配線器具の一種であり、電気器具に連結されたコードの端部に設けられ、コンセントに差し込んで使用する接続器具である。一般に、家庭や工場に届く電気がコンセントに流れ、前記コンセントに電気器具のプラグを差し込んで電気器具へ電気を供給して作動させる。このときプラグは、コンセントとの連結部分、例えば、プラグの胴体にコードと連結された二つのピン（電気接続棒）が固定されており、これをコンセント孔に挿入及び固定させ、電気器具に電気を供給することになる。
【０００３】
一方、家電製品のように、家庭で随時に繰り返してプラグをコンセントに差し込んだり抜いたりする電気器具の場合は、コンセントからの着脱が容易でなければならなかった。ところが、コンセントに強く差し込まれているプラグは、抜き出すことが困難であり、手でプラグの胴体をつかみ、引っ張って抜く力（成人の場合、一般に１５ｋｇｆ）を大きく入れて取り外さなければならなかった。
【０００４】
このとき、人の手でプラグをつかむ握力が、抜く力よりも小さくかかるが、プラグを抜くときは、抜く力を更に大きく入れなければならないので、手の力が弱い女性、子供、高齢者の場合は、強く差し込まれたプラグを抜くことが容易ではなかった。
従って、コンセントに強く差し込まれているプラグを取り外す場合、片手でコンセントをつかみ、もう一方の手でプラグをつかんで、上下に揺らして抜いたり、リード線を引っ張って抜いたりするので、コンセントやプラグが故障し、又は電気的連結が切れる恐れがあった。
【０００５】
一方、このような問題点を解決するために、プラグに環状の取手を取り付け、これを引っ張ってプラグを抜き易く設計した製品もある。図１は、従来の電気プラグを示す図である。
【発明の概要】
【発明が解決しようとする課題】
【０００６】
しかしながら、環部を有したプラグも同様に、片手でコンセントをつかんで抜かなければならないという不便さがあり、使用時、環部が切れてしまう問題点が生じ得るので、根本的な問題の解決とはならない。従って、小さな力だけでコンセントからの着脱が容易な電気プラグの開発が必要となった。
【０００７】
本発明は、上記問題点に鑑みなされたものであり、小さな力だけでコンセントからの着脱が容易であり、使い勝手のよい電気プラグを提供することを目的とする。
本発明の目的は、上述した目的に制限されず、言及していないまた他の目的は、下記の記載から当業者に明確に理解されるべきである。
【課題を解決するための手段】
【０００８】
上記した問題点を解決するために、本発明は、収容部を有する胴体部と、前記胴体部の一面に挿入固定される複数のピンと、前記収容部に設けられる脱去部と、を備え、前記脱去部は、前記胴体部の一面において前記複数のピンの中央部でその軸方向に突出及び挿入可能なギアスティックと、前記ギアスティックを中心として両側に一つずつ対称に設けられると共に前記ギアスティックに噛合されて回転する取手部とを有することを特徴とする電気プラグを提供する。
【０００９】
また、本発明は、前記収容部は、前記胴体部を貫通する貫通孔を有し、前記貫通孔は、前記胴体部の一側における第一貫通孔及び前記胴体部の他側における第二貫通孔を有し、前記第一貫通孔には、前記取手部の一部が露出し、前記第二貫通孔には、前記ギアスティックの一部が挿入又は露出することを特徴とする電気プラグを提供する。
【００１０】
また、本発明は、前記取手部は、前記ギアスティックに噛合されて回転する歯部と、前記歯部の上に設けられる回転軸と、前記歯部の一側から延設された押え部と、を有し、前記取手部は、前記ギアスティックを中心として両側に一つずつ設けられることを特徴とする電気プラグを提供する。
【００１１】
また、本発明は、前記ギアスティックは、ギア軸と、前記ギア軸の外周面の一部に形成され、前記歯部に噛合されるギア部と、前記ギア軸の外周面に形成される支持部と、を有し、前記ギア部のギア突起は、前記ギア軸の長手方向に垂直で形成され、前記ギア軸の長手方向に沿って等間隔で複数個が設けられることを特徴とする電気プラグを提供する。
【００１２】
また、本発明は、前記ギア軸と前記歯部の回転軸とは、互いに直交して設けられることを特徴とする電気プラグを提供する。
【００１３】
また、本発明は、前記押え部は、一端部にコンセントとの結合状態の識別のための文字部を更に有することを特徴とする電気プラグを提供する。
【発明の効果】
【００１４】
本発明によれば、片手だけを用いて、コンセントからプラグを着脱することができ、使用が簡便であるという効果がある。また、電気プラグを小さな力だけでコンセントから取り外すことができ、コンセントにプラグを差し込んだまま放置することが減少し、電力消費を減らすという効果がある。
【図面の簡単な説明】
【００１５】
【図１】従来の電気プラグを示す図である。
【図２】本発明の一実施例による電気プラグの斜視図である。
【図３】本発明の一実施例による電気プラグの正面図である。
【図４】本発明の一実施例による電気プラグを分解して示す図である。
【図５】本発明の一実施例による電気プラグの脱去部を分解して示す図である。
【図６】本発明の他の実施例による電気プラグの脱去部を示す図である。
【図７】本発明の一実施例による電気プラグをコンセントから取り外す過程を示す使用状態図である。
【図８】本発明の一実施例による電気プラグをコンセントから取り外す過程を示す使用状態図である。
【図９】本発明の一実施例による電気プラグをコンセントに結合する過程を示す使用状態図である。
【図１０】本発明の一実施例による電気プラグをコンセントに結合する過程を示す使用状態図である。
【図１１】本発明の他の実施例による電気プラグの組立式脱去部を示す図である。
【図１２】本発明の他の実施例による組立式脱去部が適用された電気プラグを示す図である。
【発明を実施するための形態】
【００１６】
本発明の利点及び特徴、そしてそれらの達成方法は、添付図面とともに詳細に後述されている実施例を参照すれば明確になる。しかし、本発明は、以下において開示される実施例に限定されず、相違なる様々な形態で具現されるはずであり、単に、本実施例は本発明の開示を完全にし、本発明が属する技術の分野における通常の知識を有する者に発明の範疇を完全に知らせるために提供されるものであり、本発明は、請求項の範疇により定義されるだけである。
【００１７】
以下、添付された図面を参照して、本発明を実施するための具体的な内容について詳述する。図面にかかわらず、同一の図面符号は同一の構成要素を指し、「及び／又は」は、言及された項目のそれぞれ及び一つ以上の全ての組合せを含む。
たとえ、多様な構成要素を述べるために第一、第二等が用いられているが、これらの構成要素が、これらの用語により制限されるものではない。これらの用語は、単に一つの構成要素を他の構成要素と区別するために用いられるものである。従って、以下において言及される第一構成要素は、本発明の技術的思想内において第二構成要素となり得ることは言うまでもない。
【００１８】
本明細書において用いられた用語は、実施例を説明するためのものであり、本発明を制限しようとするものではない。本明細書において、単数形は、特に断りがない限り、複数形をも含む。明細書において用いられる「含む（ｃｏｍｐｒｉｓｅｓ）」及び／又は「含む（Ｃｏｍｐｒｉｓｉｎｇ）」は、言及された構成要素のほか、一つ以上の他の構成要素の存在又は追加を排除しない。
他に定義がなければ、本明細書で用いられる全ての用語（技術及び科学的用語を含む）は、本発明が属する技術の分野における通常の知識を有する者であれば、共通的に理解できる意味として使用されるはずである。また、一般に使われる辞典に定義されている用語は、明白に特に定義されていない限り、理想的又は過度に解釈されない。
【００１９】
空間的に相対的な用語である「下（ｂｅｌｏｗ）」、「下方（ｂｅｎｅａｔｈ）」、「下部（ｌｏｗｅｒ）」、「上（ａｂｏｖｅ）」、「上部（ｕｐｐｅｒ）」等は、図面に示すように、一つの構成要素と他の構成要素の相関関係を容易に記述するために用いられる。空間的に相対的な用語は、図面に示された方向に加えて、使用時又は動作時に構成要素の相違した方向を含む用語として理解されなければならない。例えば、図面に示された構成要素を覆す場合、他の構成要素の「下（ｂｅｌｏｗ）」又は「下方（ｂｅｎｅａｔｈ）」と記述された構成要素は、他の構成要素の「上（ａｂｏｖｅ）」に置かれてもよい。従って、例示の用語である「下（ｂｅｌｏｗ）」は、下と上の方向を全て含んでもよい。構成要素は、他の方向にも配向されてもよく、これにより、空間的に相対的な用語は、配向により解釈されてもよい。
【００２０】
以下、添付図面を参照して、本発明の好適な実施例について詳述する。
ここで先ず、図１は、従来の電気プラグを示す図である。一般に電気器具には、給電のためのプラグが取り付けられたリード線が連結され、これをコンセントに差し込んで電気を供給されることになる。ところが、プラグをコンセントに差し込むことは、あまり困難ではないが、プラグのピンがコンセントに強く差し込まれていれば、プラグを抜き出すことには困難があった。
【００２１】
特に、コンセントに強く差し込まれているプラグを、手で引っ張る力だけで取り外さなければならないので、握力の弱い女性と子供、高齢者の場合は、プラグを抜き出すことには困難があった。また、コンセントに強く差し込んだプラグを取り外すためには、片手でコンセントをつかみ、もう一方の手でプラグをつかんで、両手を使ってプラグを上下に揺らして抜いたり、着脱過程でプラグのリード線を引っ張ったりすることになるので、プラグの電気的連結が切れるという故障が発生し得る。
【００２２】
従って、このような問題点を解消するために、図１に示すように環部４０を有する電気プラグもある。このようなプラグは、胴体１０に、コンセントとの電気接続のためのピン２０と、リード線が連結されるストッパー３０とが設けられている。ところが、環部４０を引っ張って抜き出すと、リード線そのものに故障が発生することではないが、片手でコンセントをつかみ、もう一方の手でプラグの胴体をつかんで抜かなければならないという不便さが依然として存在する。そして、環部４０に指を引っ掛けて引っ張らなければならず、大きな指力を必要とし、使用者に無理がかかり、構造的な特徴のため、随時にプラグを差し込んだり抜いたりする場合、環部４０が切れるおそれもある。
【００２３】
そこで、本発明の実施例では、片手だけで着脱が可能であり、小さな力だけでコンセントから取り外し易い電気プラグを提供する。
図２は、本発明の一実施例による電気プラグの斜視図であり、図３はその正面図であり、図４は図３の分解図である。
図２乃至図４を参照すると、本発明の実施例による電気プラグ１００は、胴体部１１０と、胴体部１１０の一面に挿入固定されるピン１２０と、胴体部１１０に設けられる２００と、を備えて構成される。このとき胴体部１１０の一側には、リード線の連結のためのストッパー１３０が設けられ、胴体部１１０には、脱去部２００を収容する収容部１１１が設けられている。
【００２４】
このとき収容部１１１は、胴体部１１０を貫通し、一側の他側に貫通孔１１２が形成される。図４を参照すると、貫通孔１１２は、胴体部１１０の上部を貫通する第一貫通孔１１２ａと、胴体部１１０の下部を貫通する第二貫通孔１１２ｂとが連設され、ここで、第二貫通孔１１２ｂは、ピン１２０が挿入固定される胴体部１１０の一面、即ちプラグ胴体部１１０の下部面を貫通する。
収容部１１１に設けられる脱去部２００は、貫通孔１１２から脱去部２００の一部がプラグ胴体部１１０の外部に突出する。即ち第一貫通孔１１２ａから脱去部２００の一側が外部に突出し、第二貫通孔１１２ｂから脱去部２００の他側が外部に突出したり再度挿入されたりする。
【００２５】
図５は、本発明の一実施例による電気プラグの脱去部を分解して示す図であり、図６は、本発明の他の実施例による電気プラグの脱去部を示す図である。
脱去部２００は、外周面にギア部２１２を有するギアスティック２１０と、ギアスティックに噛合されて回転する取手部２２０と、を備えて構成される。
このとき、ギアスティック２１０は、ギア軸２１１と、ギア軸２１１の外周面の一部に形成されるギア部２１２と、ギア軸２１１の外周面に形成される支持部２１３と、有する。
また、取手部２２０は、ギア部２１２に噛合されて回転する歯部２２１と、歯部２２１の上に設けられる回転軸２２２と、歯部２２１の一側から延設された押え部２２３と、を有する。また、回転軸２２２には、固定ピン２３０が挿入され、固定ピン２３０が、歯部２２１の回転のためのヒンジ部の役割をすると共に、歯部２２１の回転軸が離脱しないようにプラグ胴体部１１０に固定して支持する役割を行う。
【００２６】
このときギアスティック２１０のギア軸２１１と歯部２２１の回転軸２２２とは、互いに直交するように設けられる。また、ギア部２１２は、ギア軸２１１の外周面の一部に形成されるが、ギア部のギア突起（ギア歯）は、ギア軸２１１の長手方向に垂直で形成され、ギア軸２１１の長手方向に沿って等間隔で複数個が設けられる。従って、ギア部２１２の複数個の突起部がギア歯の役割を行い、取手部の歯部２２１に噛合されて動力を伝達され、ギア部が形成されたギア軸を動かすことになる。
より詳しくは、歯部２２１が回転するにつれて、歯部２２１に噛合されたギア部２１２により、歯部２２１の回転動力をギア部２１２に伝達し、これにより、ギア部２１２が形成されたギア軸２１１が軸方向に上又は下に動くことになる。
【００２７】
一方、本発明の一実施例において、取手部２２０は、１対からなることが好ましく、即ちギアスティック２１０のギア軸２１１を中心として、両側に一つずつ互いに対称に設けられてもよい。
一方、上述のように脱去部２００の一側は、第一貫通孔１１２ａから胴体部１１０の外部に露出し、脱去部２００の他側は、第二貫通孔１１２ｂから胴体部１１０の外部に露出したり再度挿入されたりする。
より詳しくは、脱去部２００の一側、即ち取手部２２０の押さ部２２３の部分がプラグ胴体部１１０の第一貫通孔１１２ａからプラグの外部に常時露出し、使用者は、露出した押え部２２３を手で操作して、コンセントに差し込まれたプラグを容易に抜き出すことができる。
【００２８】
また、脱去部２００の他側、即ちギアスティック２１０のギア軸２１１の一端が、第二貫通孔１１２ｂから外部に突き出したり、内部に挿入されるが、これは、押え部２２３の操作を通じて可能である。
続けて、プラグをコンセントに差し込んだ場合は、ギア軸２１１の一端が、第二貫通孔１１２ｂの内部に挿入されるのに対して、プラグをコンセントから抜き出す場合は、ギア軸２１１の一端が、第二貫通孔１１２ｂの外部に突出するが、このような操作原理については、図７及び図８を参照して後述する。
【００２９】
一方、本発明の実施例において、ギアスティック２１０は、収容部１１１に収容され、第二貫通孔１１２ｂをその内部において上又は下方向に摺動し、軸方向の直線運動を行うので、ギアスティック２１０の横断面形状は、第二貫通孔１１２ｂの横断面と類似した形状と直径で作製されることが好ましい。
このとき本発明の一実施例において、ギアスティック２１０及び第二貫通孔１１２ｂは、断面形状を四角形として示しているが（図５）、本発明において、ギアスティック２１０及び第二貫通孔１１２ｂの形状が四角形に限定されるものではなく、図６における他の実施例に示すように、円形又は多角形の構造で設けられてもよいことは言うまでもない。
【００３０】
また、ギアスティック２１０のギア軸２１１の一部が、第二貫通孔１１２ｂの内部に挿入され、軸方向の直線運動を行うためには、ギア軸２１１の断面形状が第二貫通孔１１２ｂの断面形状に相応し、それよりも小さくなければならない。ところが、ギア軸２１１の外周面には、ギア軸２１１の断面形状から突出したギア部２１２が設けられているので、図４のように一般に、第二貫通孔１１２ｂの幅Ｄ１よりもギア軸２１１の幅ｄ１が小さく形成される。従って、ギア軸２１１が、第二貫通孔１１２ｂの内部において揺れたり軸がずれたりしてしまうので、本発明において、ギア軸２１１の外周面には、支持部２１３が更に設けられてもよい。
【００３１】
支持部２１３は、ギア軸２１１の外周面に、係止段の形状であって、側面が第二貫通孔１１２ｂの内周面と摩擦して上又は下に摺動するように設けられ、ギア軸２１１が第二貫通孔１１２ｂの内部で揺れることなく、正確に軸方向へ移動可能に支持する役割をする。
また、支持部２１３が摺動する第二貫通孔１１２ｂの端部の内径には、更に係止段１４０が設けられてもよい。
【００３２】
ギア軸２１１の一端部が第二貫通孔１１２ｂの内部に挿入された状態で摺動し、上下に軸方向移動しながら、ギア軸２１１の端部が第二貫通孔１１２ｂの端部に突出又は挿入される。このとき、係止段１４０は、ギア軸２１１に形成された支持部２１３が、これ以上第二貫通孔１１２ｂの外部に突出しないように支持する役割をする。
一方、支持部２１３は、ギアスティックの断面形状が、一実施例のように、四角形である場合は、上記のように係止段の形状であってもよいが、図６における他の実施例に示すように、リング状の支持部２１３’であってもよい。
【実施例】
【００３３】
図６を参照すると、本発明の他の実施例によると、ギアスティック２１０’は、断面形状が四角形であってもよく、これにより、ギア部２１２’及び支持部２１３’の形状も、ギアスティック２１０’の周りに沿って円形になっていてもよく、図示していないが、この場合、プラグ胴体部の貫通孔１１２も、断面形状が四角形ではなく、ギアスティック２１０’の形状に対応する円形状であってもよいことは言うまでもない。
【００３４】
次に、本発明の一実施例による脱去部を備える電気プラグの作動過程について説明する。図７及び図８は、本発明の一実施例による電気プラグの使用状態図である。図７は、コンセントに電気プラグが差し込んでいる状態であり、図８は、解除時の状態を示している。
図７及び図８を参照すると、本発明の実施例において、電気プラグをコンセントから解除する方法は、以下の通りである。
プラグをコンセント１から取り外すためには、ギアスティック２１０の両側に設けられた、プラグ胴体部１１０の外部に突出した１対の取手部２２０を操作して、コンセントに差し込まれた電気プラグを抜くことができる。
先ず、図７は、電気プラグ１００のピン１２０がコンセント１に差し込まれた場合であり、このとき、第二貫通孔１１２ｂの内部にギアスティック２１０のギア軸２１１の一端が挿入されている状態を維持することになる。
【００３５】
次に、取手部２２０の押え部２２３を両側から手で押さえる。例えば、親指と人差し指を用いて取手部２２０、即ち、プラグ胴体部１１０の外部に突出した１対の押え部２２３をつかんで押さえると、１対の押え部２２３は、端部が互いに近づくにつれて、押え部２２２に延設された歯部２２１を回転させることになる。
このとき、歯部２２１は１対であり、ギアスティック２１０の中心軸を基準として左右にそれぞれ設けられ、図８に示すように、プラグの正面からみると、ギア軸２１１を基準として左側の歯部は、時計方向ＣＷに回転し、右側の歯部は、反時計方向ＣＣＷに互いに反対方向に回転することになる。また、１対の歯部２２１が回転することにより、歯部に噛合されるギア軸のギア部２１２に動力を伝達し、ギア部のギア歯を下方向に押し出されるようにする。
【００３６】
このように１対の歯部２２１の回転により、ギア部２１２を下方向に押える力が作用するので、結果として、ギア部を含むギア軸２１１が下方向に軸方向の直線運動を行うことになる。
即ちギアスティック２１０は、プラグ胴体部１１０に設けられた第二貫通孔１１２ｂの内部において下方向に摺動され、ついにギアスティック２１０のギア軸２１１の一端部が、第二貫通孔１１２ｂの外部に突出する。従って、プラグ胴体部１１０の底面に突出したギア軸２１１の一端部が、プラグと接触したコンセント１の上面を押し出すので、プラグのピン１２０がコンセントから解除される。
【００３７】
また、プラグを抜く場合、ギア軸２１１に設けられた支持部２１３が、第二貫通孔１１２ｂの端部に設けられた係止段１４０に係止され、ギア軸２１１の一端部の突出を止めさせるように支持する。
一方、押え部２２３の端部、即ちプラグ胴体部１１０の外部に突出した押え部２２３の上端には、コンセントとの結合状態の識別のための文字部２２４を更に有してもよい。
文字部２２４は、図２及び図８に示すように、電気プラグ１００がコンセント１から取り外された場合は、露出せず、図７のように、コンセント１に差し込む場合、１対の押え部２２３の端部の間隔が広がりながら文字部が外部に突出し、例えば、文字部２２４にコンセントとの結合状態の識別のための文字として「ＯＮ」が設けられ、使用者は、コンセントとプラグが接続された場合、その状態を意味する「ＯＮ」文字が識別できることになる。
【００３８】
次に、図９はコンセントと電気プラグが取り外された状態であり、図１０は結合時の状態を示す図である。
図９及び図１０を参照すると、本発明の実施例において、電気プラグをコンセントに差し込む方法は、以下の通りである。
先ず、図９に示すように電気プラグ１００がコンセント１から取り外された状態では、取手部２２０の押え部２２３は縮まった状態であり、ギアスティック２１０のギア軸２１１の一端部は、第二貫通孔１１２ｂの外部に突出し、プラグ胴体部１１０の下面に露出した状態である。
【００３９】
次に、図１０に示すように、プラグ胴体部１１０をつかみ、プラグをコンセント１に差し込むと、プラグと接触するコンセント１の上面が突出したギア軸２１１の一端部を押し上げ、プラグのピン１２０がコンセント１に差し込まれ、プラグが結合される。
このとき、第二貫通孔１１２ｂの内部に挿入されるギア軸２１１により、ギア軸２１１の外周面に設けられたギア部２１２がギア軸と一緒に押し上げられ、このとき、ギア部２１２に噛合された歯部２２１を回転させることになる。
【００４０】
ギア軸２１１を基準として両側に設けられた１対の歯部２２１は、図１０に示すように、プラグの正面からみると、ギアスティック２１０を基準として、左側の歯部は反時計方向ＣＣＷに回転し、右側の歯部は時計方向ＣＷに回転することになる。また、ギア部２１２の上昇により、これと噛合された1対の歯部２２１が回転することにより、歯部から延設された押え部２２３も、それぞれ左側の押え部は反時計方向ＣＣＷに回転し、右側の押え部は時計方向ＣＷに回転し、左右の押え部の距離が遠ざかることになる。
【００４１】
即ち左右の押え部が互いに広がると共に、左右の押え部に形成された文字部２２４、例えば、ＯＮという文字が刻まれた場合、電気プラグ１００をコンセント１に差し込む前は、プラグ胴体部１１０の内部に隠されていた文字部が、差し込んだ瞬間、１対の押え部２２３が互いに広がりながら、プラグ胴体部１１０の外部に突出し、電気プラグがコンセントと接続したとのＯＮ文字が表示されるものである。
【００４２】
一方、本発明の実施例において、ギアスティック２１０は、前記貫通孔の内部において軸方向の直線往復運動を行うが、本発明において、脱去部２００は、ギア軸のギア部２１２及び取手部の歯部２２１が、それぞれ一種のウォームとウォームギアのように設けられるが、ギア軸２１１が、従来のウォームのように傾斜したねじ山が設けられ、回転運動により軸方向の直線運動を行うのではなく、等間隔で平行に配列される歯車形状のギア部２１２は、歯部２２１の回転により、噛合されて軸方向にのみ直線運動を行うことになる。従って、ギア軸２１１のねじ回転による軸方向の直線運動ではなく、ただ直線運動だけを行うので、迅速に電気プラグをコンセントから接続又は解除可能になる。
【００４３】
一方、一般に電気プラグは、取り外されたプラグ胴体部にピン、ストッパー等を配列し、これを取り付け又は射出成形して製造することができる。
本発明による電気プラグも、従来と同一の射出成形方法で製造されてもよいが、脱去部とプラグ胴体部を別途に作製して組み立てる方式で製造されてもよい。
【００４４】
図１１は、本発明のまた他の実施例による組立式脱去部３００を示す図であり、図１２は本発明のまた他の実施例による組立式脱去部が適用された電気プラグを示す図である。
本発明のまた他の実施例による電気プラグ１００’は、プラグ胴体部１１０’に組立式脱去部３００の挿入のための収容部１１１’を含めて射出した後、前記収容部１１１’に組立式脱去部３００を挿入して製造することができる。
【００４５】
組立式脱去部３００は、本発明の一実施例とその基本的な構成が同一であり、脱去部を収容するためのハウジング３５０とカバー３６０を更に有してもよい。
ハウジング３５０には、ギアスティック３１０及び取手部３２０が収容され、取手部３２０の押え部３２３の回転操作のために、上部に第一開口部３５１を有してもよい。
また、ハウジング３５０の下部には、ギアスティック３１０のギア軸３１１の一端部が突出する第二開口部３５２が設けられてもよい。
その他の構成要素は、本発明の一実施例による脱去部２００の構成と同一であるので、それについての詳細な説明を省略する。
【００４６】
一方、本発明のまた他の実施例によるプラグ胴体部１１０’には、本発明の一実施例と同様に、組立式脱去部３００を収容するための収容部１１１’が設けられ、収容部の一側に第一貫通孔（図示せず）及び他側に第二貫通孔（図示せず）が設けられてもよい。
また、胴体部１１０’の上部には、脱去部の保護のためのキャップ１５０が更に設けられてもよく、図１２に示すように、胴体部１１０’の上部にヒンジされて開閉可能なキャップ１５０を開放し、第一貫通孔に組立式脱去部３００を挿入することができる。このとき、第二貫通孔には、組立式脱去部に組み立てられたギア軸３１１の一端部が突出又は挿入される。
【００４７】
以上のように構成される本発明による電気プラグによれば、従来はプラグの胴体をつかむ力と、引っ張って抜く力を二重で入れなければならなかったが、本発明によれば、つかむ力だけでも、従来よりも小さな力を入れながら、簡易にプラグをコンセントから抜くことができるようになる。
また、片手でコンセントをつかみ、もう一方の手でプラグを抜くことなく、片手だけを用いてプラグに設けられた脱去部を操作し、簡易にコンセントからプラグを着脱することができる。
【００４８】
以上、添付図面を参照して本発明の実施例について説明したが、本発明が属する技術の分野における通常の知識を有する者であれば、本発明がその技術的思想や必須的な特徴を変更することなく、他の具体的な形態で実施できることを理解すべきである。従って、以上で述べた実施例は、全ての面で例示的なものであり、限定的なものではないと理解しなければならない。
【符号の説明】
【００４９】
１００  電気プラグ、１１０  胴体部、１１１  収容部、１１２  貫通孔、１２０  ピン、２００  脱去部、２１０  ギアスティック、２１１  ギア軸、２１２  ギア部、２２０  取手部、２２１  歯部、２２２  回転軸、２２３  押え部。
【図１】
0006518013.tif 000002
【図２】
0006518013.tif 000003
【図３】
0006518013.tif 000004
【図４】
0006518013.tif 000005
【図５】
0006518013.tif 000006
【図６】
0006518013.tif 000007
【図７】
0006518013.tif 000008
【図８】
0006518013.tif 000009
【図９】
0006518013.tif 000010
【図１０】
0006518013.tif 000011
【図１１】
0006518013.tif 000012
【図１２】
0006518013.tif 000013